(57)【要約】【課題】ケースの金型代ひいてはコストを大幅に低減できるイオン発生装置を提供する。【解決手段】ケース本体２８およびケースカバー２９からなる電極部のケースはイオン発生素子３０を備え、ケース本体２４およびケースカバー２５とからなる電源部のケースは電圧印加回路を備え、ケース本体２８から直線状に突出しイオン発生素子３０に接続された複数の端子が電圧印加回路が有する複数の端子に接続され、イオン発生素子３０が有する電極の形成面に平行な方向に電極部のケースと電源部のケースとが配置される。【選択図】図７
2007335092.tif 000002
【特許請求の範囲】
【請求項１】
イオン発生素子を備えた第一のケースと、
該イオン発生素子に電圧を印加する電圧印加回路を備え前記第一のケースとは分離した第二のケースと、を備え、
前記イオン発生素子と前記電圧印加回路とは電気的に接続されている、
ことを特徴とするイオン発生装置。
【請求項２】
前記第一のケースおよび前記第二のケースは略板形状であり、前記第一のケースの厚み方向に略直交する前記第一のケースが有する面に前記イオン発生素子が設けられ、前記第一のケースの厚み方向および前記第二のケースの厚み方向に略垂直方向に前記第一のケースおよび前記第二のケースが配置され、前記第一のケースの厚み方向および前記第二のケースの厚み方向は略平行である、
ことを特徴とする請求項１に記載のイオン発生装置。
【請求項３】
前記第一のケースから直線状に突出し前記イオン発生素子と電気的に接続された複数の端子を備え、
該複数の端子は前記電圧印加回路が有する複数の端子と接続される、
ことを特徴とする請求項２に記載のイオン発生装置。
【請求項４】
前記第一のケースおよび前記第二のケースは略板形状であり、前記第一のケースの厚み方向に略直交する前記第一のケースが有する面に前記イオン発生素子が設けられ、前記第一のケースの厚み方向および前記第二のケースの厚み方向に略平行方向に前記第一のケースおよび前記第二のケースが配置される、
ことを特徴とする請求項１に記載のイオン発生装置。
【請求項５】
前記第一のケースから略Ｌ字形状に突出し前記イオン発生素子と電気的に接続された複数の端子を備え、
該複数の端子は前記電圧印加回路が有する複数の端子と接続される、
ことを特徴とする請求項４に記載のイオン発生装置。
【請求項６】
請求項１〜請求項５のいずれかに記載のイオン発生装置を備えた空気調整装置。
【発明の詳細な説明】
【技術分野】
【０００１】
本発明は、イオン発生装置およびこれを備えた空気調整装置に関する。
【背景技術】
【０００２】
従来から、様々なイオン発生装置およびこれを備えたエアコン室内機や空気清浄機等が開発されてきている（例えば、特許文献１参照）。
【０００３】
図１３に、エアコン室内機に取り付けられる従来のイオン発生装置の外観斜視図を示す。イオン発生装置１は、ケースおよびイオン発生素子３を有する。ケースは、ケース本体とケースカバー２ｃとから構成され、ケース本体は基板収容部２ａと張り出し部２ｂとから構成される。基板収容部２ａは、略半円筒型の箱形形状で一方が開口状態とされ、不図示の制御基板および昇圧コイルが内装される。張り出し部２ｂは、基板収容部２ａから略水平方向に張り出す。そして、基板収容部２ａおよび張り出し部２ｂの上部にケースカバー２ｃが取り付けられる。ケースカバー２ｃのうち張り出し部２ｂの上部側に開口部が形成され、該開口部にイオン発生素子３が装着される。また、イオン発生素子３が有する電極と、制御基板に形成される電圧印加回路とは、張り出し部２ｂに収容される不図示のリード線によって電気的に接続される。
【０００４】
図１４に、上記構成のイオン発生装置１が取り付けられたエアコン室内機の側面断面図を示す。エアコン室内機４は、前パネル５、吸込口６、フィルタ７、熱交換器８、ファン９、前面側ドレンパン１０、背面側ドレンパン１１、吹出口１２、遮蔽壁１３、空気取入口１４、空気送出口１５、縦ルーバ１６、横ルーバ１７を備える。
【０００５】
前パネル５は、内部のフィルタ７の汚れを視認可能とするために開閉自在に構成される。フィルタ７は、吸込口６から吸い込まれた空気中の汚染微粒子を吸着または分解する。熱交換器８は、熱交換媒体が内部に流通され、該熱交換媒体に効率良く室内の熱を伝達するための拡大伝熱面を有する。
【０００６】
前面側ドレンパン１０、背面側ドレンパン１１は、熱交換器８の前面側と背面側の下方に設けられ、冷房時に室内空気に含まれている水蒸気が熱交換器８の前面で結露して発生するドレンを受ける。そして、前面側ドレンパン１０の底面に、イオン発生装置１の張り出し部２ｂが有するイオン発生素子３と対向する面が当接し、前面側ドレンパン１０の前面下方に設けられた凹部に、イオン発生装置１の基板収容部２ａを当接させるように、イオン発生装置１を配設する。これにより、イオン発生装置１が有するイオン発生素子３が斜め下方向を望む形となる。また、前面側ドレンパン１０の底面には、前面視でコの字状の遮蔽壁１３が設けられ、遮蔽壁１３の前後に空気取入口１４と空気送出口１５とが開口している。そして、スリット状の小孔を前後に有するカバーが遮蔽壁１３内に配設される。また、イオン発生装置１が内部に有する電圧印加回路は、エアコン室内機４が有する不図示の制御回路と電気的に接続されている。
【０００７】
また、縦ルーバ１６は、吹き出し空気の左右方向の向きを調整し、横ルーバ１７は、吹き出し空気の上下方向の向きを調整する。
【０００８】
上記の構成において、ファン９が駆動されると、室内の空気は、吸込口６および本体上面から吸い込まれ、フィルタ７、熱交換器８、ファン９、縦ルーバ１６、横ルーバ１７を通過し、吹出口１２から室内へ送出される。このとき、ファン９からの空気は、空気取入口１４にも送られ、空気取入口１４を通過後、イオン発生装置１が有するイオン発生素子３に沿って流れ、空気送出口１５を通過し、前述した経路を通過する空気と合流し、吹出口１２から室内へ送出される。
【０００９】
このとき、不図示の制御回路によりイオン発生装置１が有する電圧印加回路に交流電圧が印加されると、イオン発生素子３においてプラスイオンおよびマイナスイオンが発生し、空気取入口１４および空気送出口１５を通過する空気にプラスイオンおよびマイナスイオンが混入し、プラスイオンおよびマイナスイオンが吹出口１２から室内へ送出される。室内へ送出されたプラスイオンおよびマイナスイオンは浮遊細菌の細胞表面で化学反応して活性種が生成され、この活性種の分解作用により浮遊細菌を不活化することができる。
【００１０】
また、図１５に、空気清浄機に取り付けられる従来のイオン発生装置の外観斜視図を示す。イオン発生装置１８は、ケースおよびイオン発生素子２０を有する。ケースは、ケース本体１９ａとケースカバー１９ｂとから構成される。ケース本体１９ａは、略半円筒型の箱形形状で一方が開口状態とされ、不図示の制御基板および昇圧コイルが内装される。そして、ケース本体１９ａの上部にケースカバー１９ｂが取り付けられる。ケースカバー１９ｂには開口部が形成され、該開口部にイオン発生素子２０が装着される。また、イオン発生素子２０が有する電極と、制御基板に形成される電圧印加回路とは、ケース本体１９ａに収容される不図示のリード線によって電気的に接続される。
【００１１】
図１６に、上記構成のイオン発生装置１８が取り付けられた空気清浄機の内部背面図を示す。
【００１２】
空気清浄機２１では、本体の正面側に空気吸込口が、上面側に空気吹出口が形成されており、本体の内部には電動機および送風用ファンが収容された渦巻き型のケーシング２２が設けられ、空気吸込口と送風用ファンとの間に脱臭用フィルタおよび集塵用フィルタが配されている。ケーシング２２の上部には開口部が形成され、該開口部は空気吹出口に連結されている。
【００１３】
そして、ケーシング２２の渦の巻き終わり部付近の側壁に、イオン発生素子２０が空気の通過する通路を望むようにイオン発生装置１８が取り付けられる。また、イオン発生装置１８が内部に有する電圧印加回路は、空気清浄機２１が有する不図示の制御回路と電気的に接続されている。
【００１４】
上記の構成において、送風用ファンが駆動されると、空気吸込口から室内の空気が吸い込まれ、吸い込まれた空気は脱臭用フィルタおよび集塵用フィルタを通過して清浄化され、ケーシング２２内部に吸い込まれる。ケーシング２２内部に吸い込まれた空気は、ケーシング２２内部を側壁に沿って通過し、空気吹出口から室内へ送出される。
【００１５】
このとき、不図示の制御回路によりイオン発生装置１８が有する電圧印加回路に交流電圧が印加されると、イオン発生素子２０においてプラスイオンおよびマイナスイオンが発生し、ケーシング２２内部を通過する空気にプラスイオンおよびマイナスイオンが混入し、プラスイオンおよびマイナスイオンが空気吹出口から室内へ送出される。室内へ送出されたプラスイオンおよびマイナスイオンは浮遊細菌の細胞表面で化学反応して活性種が生成され、この活性種の分解作用により浮遊細菌を不活化することができる。
【特許文献１】特開２００３−１２０９５１号公報
【発明の開示】
【発明が解決しようとする課題】
【００１６】
しかし、エアコン室内機用の上記従来のイオン発生装置１と、空気清浄機用の上記従来のイオン発生装置１８とでは、ケースの形状が異なるため、それぞれについて金型が別々に必要であり、従来のイオン発生装置はケースの金型代ひいてはコストが高いという問題があった。
【００１７】
上記問題点を鑑み、本発明は、ケースの形状統一により数量が増え、ケースの金型代ひいてはコストを大幅に低減できるイオン発生装置を提供することを目的とする。
【課題を解決するための手段】
【００１８】
上記目的を達成するために本発明のイオン発生装置は、イオン発生素子を備えた第一のケースと、
該イオン発生素子に電圧を印加する電圧印加回路を備え前記第一のケースとは分離した第二のケースと、を備え、
前記イオン発生素子と前記電圧印加回路とは電気的に接続されている、
ことを特徴としている。
【００１９】
このような構成によれば、第一のケースおよび第二のケースの配置が異なり外観形状が異なる他のイオン発生装置との間でケースを共通に用いることができ、ケースの形状統一により数量が増え、ケースの金型代ひいてはイオン発生装置のコストを大幅に低減できる。
【００２０】
ここで、前記第一のケースおよび前記第二のケースは略板形状であり、前記第一のケースの厚み方向に略直交する前記第一のケースが有する面に前記イオン発生素子が設けられ、前記第一のケースの厚み方向および前記第二のケースの厚み方向に略垂直方向に前記第一のケースおよび前記第二のケースが配置され、前記第一のケースの厚み方向および前記第二のケースの厚み方向は略平行であるように構成すればよい。このような構成のイオン発生装置は、薄型形状を要求されるエアコン室内機等に適用できる。また、本構成において、前記第一のケースから直線状に突出し前記イオン発生素子と電気的に接続された複数の端子を備え、該複数の端子は前記電圧印加回路が有する複数の端子と接続される構成にしてもよい。
【００２１】
また、前記第一のケースおよび前記第二のケースは略板形状であり、前記第一のケースの厚み方向に略直交する前記第一のケースが有する面に前記イオン発生素子が設けられ、前記第一のケースの厚み方向および前記第二のケースの厚み方向に略平行方向に前記第一のケースおよび前記第二のケースが配置されるよう構成してもよい。このような構成のイオン発生装置は、薄型形状を要求されない空気清浄機等に適用できる。また、本構成において、前記第一のケースから略Ｌ字形状に突出し前記イオン発生素子と電気的に接続された複数の端子を備え、該複数の端子は前記電圧印加回路が有する複数の端子と接続される構成にしてもよい。
【発明の効果】
【００２２】
本発明のイオン発生装置によれば、ケースの形状統一により数量が増え、ケースの金型代ひいてはコストを大幅に低減できる。
【発明を実施するための最良の形態】
【００２３】
以下、本発明に係る実施形態について図面を参照しつつ説明する。
【００２４】
本発明に係るイオン発生装置は、電極部と電源部とから構成され、図１に電源部の外観斜視図を示す。また、図２（ａ）に電源部の上面図を、図２（ｂ）に電源部の正面図を、図２（ｃ）に電源部の下面図を、図２（ｄ）にケースカバーを外した場合の電源部の下面図を示す。
【００２５】
電源部２３は、ケース本体２４とケースカバー２５とから構成されるケースと、該ケース内部に設けられる制御基板２６とを備える。ケース本体２４は、直方体の板形状であり、厚み方向に略直交する下面が開口した箱形状をしており、厚み方向に形成される面である正面に穴部２４ａ、２４ｂ、２４ｃ、２４ｄが順に横並びに形成される。また、ケース本体２４の正面内側の穴部２４ａよりも横方向外側に、下面から視てＬ字形状の壁部２４ｅが形成され、ケース本体２４の正面内側の穴部２４ｄよりも横方向外側に、下面から視て逆Ｌ字形状の壁部２４ｆが形成される。
【００２６】
そして、制御基板２６がケース本体２４内に内装される。制御基板２６には、入力用コネクタ２６０、抵抗２６１、ダイオード２６２、フィルムコンデンサ２６３、ダイオード２６４、サイダック２６５、高圧トランス２６６、高圧ダイオード２６７、高圧ダイオード２６８、接続端子用コネクタ２６９が設けられ、後述するイオン発生素子に電圧を印加する電圧印加回路が形成される。
【００２７】
入力用コネクタ２６０は、ケース本体２４の背面側で穴部２４ａに近い側の隅からケース本体２４の外側へ突出するように設けられる。入力用コネクタ２６０は、２つの端子を有する。また、接続端子用コネクタ２６９は、ケース本体２４の正面内側と壁部２４ｅ、２４ｆとで囲まれる空間内に収まるように設けられる。接続端子用コネクタ２６９は、雌型のコネクタであり、穴部２４ａ〜２４ｄそれぞれから差し込まれる後述する電極部が有する各端子と接続されるような端子２６９ａ、２６９ｂ、２６９ｃ、２６９ｄを有する。
【００２８】
ここで、図１２に、本発明に係るイオン発生装置の回路図を示す。本回路図から、交流電源Ｐを接続点ｐ１およびｐ２から切り離し、後述するイオン発生素子が有する第１放電部３０１を接続点ＡおよびＢから切り離し、後述するイオン発生素子が有する第２放電部３０２を接続点ＣおよびＤから切り離した回路図が、制御基板２６に形成される電圧印加回路の回路図となる。
【００２９】
入力用コネクタ２６０が有する２つの端子が接続点ｐ１およびｐ２に相当する。接続点ｐ１は、抵抗２６１を介してダイオード２６２のアノードに接続される。ダイオード２６２のカソードは、コンデンサ２６３の一端および高圧トランス２６６が有する１次巻線２６６ａの一端と接続される。また、接続点ｐ２は、コンデンサ２６３の一端、ダイオード２６４のアノードおよびサイダック２６５の一端に接続される。また、１次巻線２６６ａの一端が、ダイオード２６４のカソードおよびサイダック２６５の一端に接続される。
【００３０】
そして、高圧トランス２６６が有する２次巻線２６６ｂの一端が接続点Ａに接続され、２次巻線２６６ｂのもう一端が接続点Ｂおよび高圧ダイオード２６８のカソードに接続される。高圧ダイオード２６８のアノードは接続点ｐ２に接続される。接続端子用コネクタ２６９（図２（ｄ））が有する端子２６９ａは接続点Ａに相当し、端子２６９ｂは接続点Ｂに相当する。
【００３１】
また、高圧トランス２６６が有する２次巻線２６６ｃの一端が接続点Ｄに接続され、２次巻線２６６ｃのもう一端が接続点Ｃおよび高圧ダイオード２６７のアノードに接続される。高圧ダイオード２６７のカソードは接続点ｐ２に接続される。接続端子用コネクタ２６９（図２（ｄ））が有する端子２６９ｃは接続点Ｃに相当し、端子２６９ｄは接続点Ｄに相当する。
【００３２】
そして、ケース本体２４の下面の入力用コネクタ２６０が占有する部分以外の部分を覆うようにケースカバー２５がケース本体２４に取り付けられる。
【００３３】
次に、イオン発生装置を構成する電極部の一実施形態である第１の電極部の構成について説明する。
【００３４】
図３に第１の電極部の外観斜視図を示す。また、図４（ａ）に第１の電極部の上面図を、図４（ｂ）に第１の電極部の正面図を、図４（ｃ）に第１の電極部の下面図を、図４（ｄ）にケースカバーを外した場合の第１の電極部の下面図を示す。
【００３５】
第１の電極部２７は、ケース本体２８とケースカバー２９とから構成されるケースと、ケース本体２８に取り付けられるイオン発生素子３０と、各端子３２ａ〜３２ｄとを備える。ケース本体２８は、直方体の板形状であり、厚み方向に略直交する下面が開口した箱形状をしており、厚み方向に形成される面である正面に穴部２８ａ、２８ｂ、２８ｃ、２８ｄが順に横並びに形成される。また、ケース本体２８の正面内側の、穴部２８ｄよりも横方向外側に、下面から視てＬ字形状の壁部２８ｅが形成され、ケース本体２８の正面内側の、穴部２８ａよりも横方向外側に、下面から視て逆Ｌ字形状の壁部２８ｆが形成される。また、ケース本体２８の厚み方向に略直交する上面には、イオン発生素子３０が収められる長方形状の開口部２８ｇが形成され、開口部２８ｇの両側壁にはイオン発生素子３０を支持するための支持部２８ｈが突設される。
【００３６】
ケース本体２８に取付けるイオン発生素子３０は、図５（ａ）（ｂ）に示すように、誘電体３００（上部誘電体３００ａと下部誘電体３００ｂ）と、第１放電部３０１（放電電極３０１ａ、誘導電極３０１ｂ、放電電極接点３０１ｃ、誘導電極接点３０１ｄ、接続端子３０１ｅ、３０１ｆ、および接続経路３０１ｇ、３０１ｈ）と、第２放電部３０２（放電電極３０２ａ、誘導電極３０２ｂ、放電電極接点３０２ｃ、誘導電極接点３０２ｄ、接続端子３０２ｅ、３０２ｆ、および接続経路３０２ｇ、３０２ｈ）と、コーティング層３０３と、を有して成り、放電電極３０１ａと誘導電極３０１ｂとの間、および放電電極３０２ａと誘導電極３０２ｂとの間に電圧が印加され、放電電極３０１ａ、３０２ａ近傍において放電が行われることにより、第１放電部３０１においてプラスイオンが発生し、第２放電部３０２においてマイナスイオンが発生する。
【００３７】
誘電体３００は、略直方体状の上部誘電体３００ａと下部誘電体３００ｂが貼り合わされて成る。誘電体３００の材料として無機物を選択するのであれば、高純度アルミナ、結晶化ガラス、フォルステライト、ステアタイト等のセラミックを使用することができる。誘電体３００の材料として有機物を選択するのであれば、耐酸化性に優れたポリイミドやガラスエポキシなどの樹脂が好適である。
【００３８】
放電電極３０１ａ、３０２ａは、上部誘電体３００ａの表面に該上部誘電体３００ａと一体的に形成されている。放電電極３０１ａ、３０２ａの材料としては、例えばタングステンのように、導電性を有するものであれば、特に制限なく使用することができるが、放電によって溶融等の変形を起こさないことが条件となる。
【００３９】
また、誘導電極３０１ｂ、３０２ｂは、下部誘電体３００ｂの表面に該下部誘電体３００ｂと一体的に形成され、上部誘電体３００ａを挟んで放電電極３０１ａ、３０２ａと平行に設けられ、誘電電極と放電電極の両電極間の絶縁抵抗を均一化して放電状態を安定させ、プラスイオンおよびマイナスイオンを好適に発生させるようにしている。誘導電極３０１ｂ、３０２ｂの材料としては、放電電極３０１ａ、３０２ａと同様に、例えばタングステンのように、導電性を有するものであれば、特に制限なく使用することができるが、放電によって溶融等の変形を起こさないことが条件となる。
【００４０】
放電電極接点３０１ｃ、３０２ｃは、下部誘電体３００ｂの誘導電極３０１ｂ、３０２ｂが形成される面と対向する面に形成され、放電電極３０１ａ、３０２ａが有する接続端子３０１ｅ、３０２ｅ、および接続経路３０１ｇ、３０２ｇを介して、放電電極３０１ａ、３０２ａと電気的に導通されている。従って、放電電極接点３０１ｃ、３０２ｃに電圧印加回路を電気的接続すれば、放電電極３０１ａ、３０２ａと電圧印加回路とを電気的に導通させることができる。
【００４１】
誘導電極接点３０１ｄ、３０２ｄは、下部誘電体３００ｂの誘導電極３０１ｂ、３０２ｂが形成される面と対向する面に形成され、誘導電極３０１ｂ、３０２ｂが有する接続端子３０１ｆ、３０２ｆ、および接続経路３０１ｈ、３０２ｈを介して、誘導電極３０１ｂ、３０２ｂと電気的に導通されている。従って、誘導電極接点３０１ｄ、３０２ｄに電圧印加回路を電気的接続すれば、誘導電極３０１ｂ、３０２ｂと電圧印加回路とを電気的に導通させることができる。
【００４２】
また、コーティング層３０３は、上部誘導体３００ａの表面および放電電極３０１ａ、３０２ａの表面を覆うように形成される。
【００４３】
放電電極３０１ａ、３０２ａは共に鋭角部を持ち、その部分で電界を集中させ、局部的に放電を起こす構成としている。この放電電極３０１ａは、電界集中させ放電を起こす第１放電部位３０１ｊと、この周囲もしくは一部を取り囲む第１導電部位３０１ｋと、前述の接続端子部３０１ｅとを有するが、これらは全て同一パターン上にあり、印加される電位は等しくなる。放電電極３０２ａも同様に、第２放電部位３０２ｊ、第２導電部位３０２ｋ、接続端子部３０２ｅを有する。
【００４４】
第１放電部位３０１ｊは、プラス電位にてプラスイオンが発生するが、すぐ隣にはマイナス電位の第２放電部位３０２ｊが存在する。しかし、第１放電部位３０１ｊと同電位の第１導電部位３０１ｋが第１放電部位３０１ｊの周囲または一部を取り囲んでいるため、第１放電部位３０１ｊから発生したプラスイオンは、逆極性でマイナス電位の第２放電部位３０２ｊに達する前に、プラス電位の第１導電部位３０１ｋによって反発され、第２放電部位３０２ｊに達することを防ぐことができる。第２放電部位３０２ｊについても同様である。従って、第１放電部３０１で発生したプラスイオンと第２放電部３０２で発生したマイナスイオンとが中和されるのを防止することができる。
【００４５】
このような構成のイオン発生素子３０は、放電電極３０１ａ、３０２ａが上を向くように、かつ、接続端子部３０１ｅ、３０２ｅがケース本体２８が有する穴部２８ａ〜２８ｄ側となるように、ケース本体２８が有する開口部２８ｇに収められてケース本体２８に取り付けられる。また、端子台３１が、ケース本体２８の正面内側と壁部２８ｅ、２８ｆとで囲まれる空間内に収まるように設けられる。
【００４６】
そして、端子３２ａの一端が、イオン発生素子３０が有する誘導電極接点３０１ｄと半田付けにより接続され、端子３２ａは途中折れ曲がり、端子台３１および穴部２８ａを貫通してケース本体２８の正面に垂直方向に直線状に突出する。また、端子３２ｂの一端が、イオン発生素子３０が有する放電電極接点３０１ｃと半田付けにより接続され、端子３２ｂは途中折れ曲がり、端子台３１および穴部２８ｂを貫通してケース本体２８の正面に垂直方向に直線状に突出する。また、端子３２ｃの一端が、イオン発生素子３０が有する放電電極接点３０２ｃと半田付けにより接続され、端子３２ｃは途中折れ曲がり、端子台３１および穴部２８ｃを貫通してケース本体２８の正面に垂直方向に直線状に突出する。また、端子３２ｄの一端が、イオン発生素子３０が有する誘導電極接点３０２ｄと半田付けにより接続され、端子３２ｄは途中折れ曲がり、端子台３１および穴部２８ｄを貫通してケース本体２８の正面に垂直方向に直線状に突出する。
【００４７】
そして、ケース本体２８の下面を覆うようにケースカバー２９がケース本体２８に取り付けられる。
【００４８】
以上のような構成の電源部２３および第１の電極部２７とから第１のイオン発生装置が組み立てられる。図６のように、第１の電極部２７が有する各端子３２ａ〜３２ｄを、電源部２３が有する各穴部２４ａ〜２４ｄに近づけ、各端子３２ａ〜３２ｄを各穴部２４ａ〜２４ｄから差し込み、接続端子用コネクタ２６９が有する各端子２６９ａ〜２６９ｄに接続させる。これにより、電源部２３と第１の電極部２７とが合体され、図７のような、電源部２３のケースの厚み方向および第１の電極部２７のケースの厚み方向に略垂直な方向に各ケースが配置され、各ケースの各厚み方向が略平行であるような第１のイオン発生装置３３が得られる。
【００４９】
このとき、回路図としては、図１２のように、電圧印加回路が有する接続点Ａに誘導電極３０１ｂが接続され、電圧印加回路が有する接続点Ｂに放電電極３０１ａが接続され、電圧印加回路が有する接続点Ｃに放電電極３０２ａが接続され、電圧印加回路が有する接続点Ｄに誘導電極３０２ｂが接続される形となる。
【００５０】
このような第１のイオン発生装置３３は、前述した従来のイオン発生装置１（図１３）が取り付けられるエアコン室内機４（図１４）に、従来のイオン発生装置１の代わりに取り付けることができる。このとき、空気取入口１４および空気送出口１５を通過する空気に、第１のイオン発生装置３３が有するイオン発生素子３０が接触するように、従来のイオン発生装置１と同様の位置に第１のイオン発生装置３３が取り付けられる。また、エアコン室内機４が有する不図示の制御回路と電気的接続されたコネクタが、第１のイオン発生装置３３が有する入力用コネクタ２６０に接続され、制御回路と電圧印加回路とが電気的接続される。
【００５１】
そして、制御回路により入力用コネクタ２６０に交流電圧が印加されると、回路図としては図１２のように電圧印加回路が有する接続点ｐ１およびｐ２に交流電源Ｐが接続される形となり、回路の動作によって放電電極３０１ａと誘導電極３０１ｂとの間、および放電電極３０２ａと誘導電極３０２ｂとの間に電圧が印加され、第１放電部３０１においてプラスイオンが発生し、第２放電部３０２においてマイナスイオンが発生する。そして、空気取入口１４および空気送出口１５を通過する空気にプラスイオンおよびマイナスイオンが混入し、プラスイオンおよびマイナスイオンが吹出口１２から室内へ送出される。これにより、室内空気中の浮遊細菌を除去することができる。
【００５２】
次に、イオン発生装置を構成する電極部の別の実施形態である第２の電極部の構成について説明する。
【００５３】
図８に第２の電極部の外観斜視図を示す。また、図９（ａ）に第２の電極部の上面図を、図９（ｂ）に第２の電極部の正面図を、図９（ｃ）に第２の電極部の側面図を、図９（ｄ）に第２の電極部の下面図を、図９（ｅ）にケースカバーを外した場合の第２の電極部の下面図を示す。
【００５４】
第２の電極部３４は、ケース本体２８とケースカバー２９とから構成されるケースと、ケース本体２８に取り付けられるイオン発生素子３０と、各端子３５ａ〜３５ｄとを備える。ケース本体２８、ケースカバー２９、イオン発生素子３０は、前述した第１の電極部２７のものと同一である。
【００５５】
イオン発生素子３０は、放電電極３０１ａ、３０２ａが上を向くように、かつ、接続端子部３０１ｅ、３０２ｅがケース本体２８が有する穴部２８ａ〜２８ｄ側と反対側となるように、ケース本体２８が有する開口部２８ｇに収められてケース本体２８に取り付けられる。また、端子台３１が、ケース本体２８の正面内側と壁部２８ｅ、２８ｆとで囲まれる空間内に収まるように設けられる。
【００５６】
そして、端子３５ａの一端が、イオン発生素子３０が有する誘導電極接点３０１ｄと半田付けにより接続され、端子３５ａは途中ケース本体２８内部で折れ曲がり、端子台３１および穴部２８ｄを貫通してケース本体２８外部で側面視略Ｌ字形状に折れ曲がる。また、端子３５ｂの一端が、イオン発生素子３０が有する放電電極接点３０１ｃと半田付けにより接続され、端子３５ｂは途中ケース本体２８内部で折れ曲がり、端子台３１および穴部２８ｃを貫通してケース本体２８外部で側面視略Ｌ字形状に折れ曲がる。また、端子３５ｃの一端が、イオン発生素子３０が有する放電電極接点３０２ｃと半田付けにより接続され、端子３５ｃは途中ケース本体２８内部で折れ曲がり、端子台３１および穴部２８ｂを貫通してケース本体２８外部で側面視略Ｌ字形状に折れ曲がる。また、端子３５ｄの一端が、イオン発生素子３０が有する誘導電極接点３０２ｄと半田付けにより接続され、端子３５ｄは途中ケース本体２８内部で折れ曲がり、端子台３１および穴部２８ａを貫通してケース本体２８外部で側面視略Ｌ字形状に折れ曲がる。
【００５７】
そして、ケース本体２８の下面を覆うようにケースカバー２９がケース本体２８に取り付けられる。
【００５８】
前述した電源部２３および、以上のような構成の第２の電極部３４とから第２のイオン発生装置が組み立てられる。図１０のように、第２の電極部３４が有する各端子３５ａ〜３５ｄを、電源部２３が有する各穴部２４ａ〜２４ｄに近づけ、各端子３５ａ〜３５ｄを各穴部２４ａ〜２４ｄから差し込み、接続端子用コネクタ２６９が有する各端子２６９ａ〜２６９ｄに接続させる。これにより、電源部２３と第２の電極部３４とが合体され、図１１のような、電源部２３のケースの厚み方向および第２の電極部３４のケースの厚み方向に略平行な方向に各ケースが配置されたような第２のイオン発生装置３６が得られる。
【００５９】
このとき、回路図としては、図１２のように、電圧印加回路が有する接続点Ａに誘導電極３０１ｂが接続され、電圧印加回路が有する接続点Ｂに放電電極３０１ａが接続され、電圧印加回路が有する接続点Ｃに放電電極３０２ａが接続され、電圧印加回路が有する接続点Ｄに誘導電極３０２ｂが接続される形となる。
【００６０】
このような第２のイオン発生装置３６は、前述した従来のイオン発生装置１８（図１５）が取り付けられる空気清浄機２１（図１６）に、従来のイオン発生装置１８の代わりに取り付けることができる。このとき、ケーシング２２内部を通過する空気に、第２のイオン発生装置３６が有するイオン発生素子３０が接触するよう、従来のイオン発生装置１８と同様の位置に第２のイオン発生装置３６が取り付けられる。また、空気清浄機２１が有する不図示の制御回路と電気的接続されたコネクタが、第２のイオン発生装置３６が有する入力用コネクタ２６０に接続され、制御回路と電圧印加回路とが電気的接続される。
【００６１】
そして、制御回路により入力用コネクタ２６０に交流電圧が印加されると、回路図としては図１２のように電圧印加回路が有する接続点ｐ１およびｐ２に交流電源Ｐが接続される形となり、回路の動作によって放電電極３０１ａと誘導電極３０１ｂとの間、および放電電極３０２ａと誘導電極３０２ｂとの間に電圧が印加され、第１放電部３０１においてプラスイオンが発生し、第２放電部３０２においてマイナスイオンが発生する。そして、ケーシング２２内部を通過する空気にプラスイオンおよびマイナスイオンが混入し、プラスイオンおよびマイナスイオンが空気吹出口から室内へ送出される。これにより、室内空気中の浮遊細菌を除去することができる。
【００６２】
以上で説明したエアコン室内機に適用される第１のイオン発生装置３３と、空気清浄機に適用される第２のイオン発生装置３６とは、外観の形状は異なるが、イオン発生装置を構成する電源部および電極部の各ケースは共通であるから、ケースの形状統一により数量が増え、従来よりも大幅にケースの金型代ひいてはコストを低減することができる。
【図面の簡単な説明】
【００６３】
【図１】は、本発明に係るイオン発生装置を構成する電源部の外観斜視図である。
【図２】は、（ａ）電源部の上面図、（ｂ）電源部の正面図、（ｃ）電源部の下面図、（ｄ）ケースカバーを外した場合の電源部の下面図である。
【図３】は、本発明に係るイオン発生装置を構成する第１の電極部の外観斜視図である。
【図４】は、（ａ）第１の電極部の上面図、（ｂ）第１の電極部の正面図、（ｃ）第１の電極部の下面図、（ｄ）ケースカバーを外した場合の第１の電極部の下面図である。
【図５】は、（ａ）イオン発生素子の模式的な上面図、（ｂ）イオン発生素子の模式的な断面図である。
【図６】は、本発明に係る第１のイオン発生装置の組立てを示す図である。
【図７】は、本発明に係る第１のイオン発生装置の外観斜視図である。
【図８】は、本発明に係るイオン発生装置を構成する第２の電極部の外観斜視図である。
【図９】は、（ａ）第２の電極部の上面図、（ｂ）第２の電極部の正面図、（ｃ）第２の電極部の側面図、（ｄ）第２の電極部の下面図、（ｅ）ケースカバーを外した場合の第２の電極部の下面図である。
【図１０】は、本発明に係る第２のイオン発生装置の組立てを示す図である。
【図１１】は、本発明に係る第２のイオン発生装置の外観斜視図である。
【図１２】は、本発明に係るイオン発生装置の回路図である。
【図１３】は、エアコン室内機用の従来のイオン発生装置の外観斜視図である。
【図１４】は、従来のイオン発生装置を備えたエアコン室内機の側面断面図である。
【図１５】は、空気清浄機用の従来のイオン発生装置の外観斜視図である。
【図１６】は、従来のイオン発生装置を備えた空気清浄機の内部背面図である。
【符号の説明】
【００６４】
２３    電源部
２４    ケース本体
２４ａ〜２４ｄ    穴部
２４ｅ、２４ｆ    壁部
２５    ケースカバー
２６    制御基板
２６０    入力用コネクタ
２６９    接続端子用コネクタ
２６９ａ〜２６９ｄ    端子
２７    第１の電極部
２８    ケース本体
２８ａ〜２８ｄ    穴部
２８ｅ、２８ｆ    壁部
２８ｇ    開口部
２８ｈ    支持部
２９    ケースカバー
３０    イオン発生素子
３１    端子台
３２ａ〜３２ｄ    端子
３３    第１のイオン発生装置
３４    第２の電極部
３５ａ〜３５ｄ    端子
３６    第２のイオン発生装置
【図１】
2007335092.tif 000003
【図２】
2007335092.tif 000004
【図３】
2007335092.tif 000005
【図４】
2007335092.tif 000006
【図５】
2007335092.tif 000007
【図６】
2007335092.tif 000008
【図７】
2007335092.tif 000009
【図８】
2007335092.tif 000010
【図９】
2007335092.tif 000011
【図１０】
2007335092.tif 000012
【図１１】
2007335092.tif 000013
【図１２】
2007335092.tif 000014
【図１３】
2007335092.tif 000015
【図１４】
2007335092.tif 000016
【図１５】
2007335092.tif 000017
【図１６】
2007335092.tif 000018